(57)【要約】【目的】本発明は、本発明は、病室や便所の扉等、特に車椅子使用者の扉（バランスドア）に関し、詳しくは、解放後自動的に閉鎖する扉に関するものであり、簡単な構造で、開放時でのドア本体とアームの交差角度に影響されることもなく、又、急激に扉が閉鎖する事もなく、閉鎖スピードの調節も容易な扉装置を提供する事を目的とする。【構成】戸口枠と、戸口枠に回動自在に設けられた扉支持枠と、扉支持枠に回動自在に枢着された扉本体と、戸口枠の上枠に形成されたガイド溝と、ガイド溝にて案内される、扉本体の上端に設けられたガイド部材等からなる扉装置において、ガイド部材は、ガイド溝に対し回動不能に案内され、扉本体に対して常に回動力が付与されるよう、蓄力機構を介して扉本体と回動自在に連結されているものである。【選択図】　図１
2004068291.tif 000002
【特許請求の範囲】
【請求項１】
戸口枠と、戸口枠に回動自在に設けられた扉支持枠と、扉支持枠に回動自在に枢着された扉本体と、戸口枠の上枠に形成されたガイド溝と、ガイド溝にて案内される、扉本体の上端に設けられたガイド部材等からなる扉装置において、ガイド部材は、ガイド溝に対し回動不能に案内され、扉本体に対して常に回動力が付与されるよう、蓄力機構を介して扉本体と回動自在に連結されていることを特徴とする扉装置。
【請求項２】
蓄力機構は、ガイド部材と連結されるセンター軸と、センター軸と回動自在で、扉本体と回動不能に連結される保持筒と、保持筒内に一端が係止された状態に収納されたスプリングと、スプリングの他端を係止する回動力調節部材よりなり、回動力調節部材はスプリングの回動力を強める方向にのみ回動可能にセンター軸と係止し、センター軸の外方より、回動力調節部材が回動可能とされている事を特徴とする請求項１に記載の扉装置。
【発明の詳細な説明】
【０００１】
【発明の属する技術分野】本発明は、病室や便所の扉等、特に車椅子使用者の扉（バランスドア）に関し、詳しくは、解放後自動的に閉鎖するか、あるいは、閉鎖された扉が自動的に開放する扉装置に関するものである。
【０００２】
【従来の技術】従来、上記扉装置はドア本体がメインアームに案内されて、戸口枠内を回動しながら横移動するよう設けられ、メインアームと戸口枠間に、閉まり方向、あるいは、開き方向への力を付与する蓄力機構や、しまり速度を制御する緩衝機構などの諸機構を有する持ち出しヒンジを取り付けたものであった。（特開２００１−２４１２５８）
【０００３】
【発明が解決しようとする課題】ところが、このような扉おいては、図１１に示すように、メインアームａと戸口枠ｂとの枢支点（ヒンジの回動中心）ｃと、メインアームａとドア本体ｄの枢支点ｅと、戸口枠ｂに形成された摺動溝に支持されたドア本体ｄの摺動枢支点ｆの関係において、ドア本体ｄの開放時、摺動枢支点ｆが枢支点ｅより枢支点ｃ側に位置すると、メインアームａに、常に図１１において、時計周りに回動力が付与されていると、摺動枢支点ｆは、さらに枢支点ｃ側に移動する事になり自閉しない．
したがって、ドア本体ｄを常に自閉させるためには、開放時でのドア本体ｄと、メインアームａの交差する角度、メインアームａの長さ等の関係を種々の開口幅に対応して常に考慮しなければならず煩雑であった。
又、開放時でのドア本体とメインアームの交差する角度、さらに、摺動溝とドアー本体の交差角度の関係から、閉鎖姿勢から開放姿勢までのメインアームの回動範囲（角度）も限られたものとなり、回動角度が限られている為、初期の自閉スピードが速くなり、特に車椅子の使用者が通過する時には、安全性の面で十分ではなかった。
この為、ヒンジに初期の自閉（自開）スピードを制御する制御機構を併せて設ける必要があり、高価となるだけでなく、ヒンジが大型化し、美観上好ましくなかった。
【０００４】
本発明は、このような問題に鑑みてなされたものであり、簡単な構造で、開放時でのドア本体とアームの交差角度に影響されることもなく、又、急激に扉が閉鎖（開放）する事もなく、閉鎖スピードの調節も容易な扉装置を提供する事を課題とする。
【０００５】
【課題を解決する為の手段】そこで、上記課題を解決する為、本発明が第１の手段として構成したところは、戸口枠と、戸口枠に回動自在に設けられた扉支持枠と、扉支持枠に回動自在に枢着された扉本体と、戸口枠の上枠に形成されたガイド溝と、ガイド溝にて案内される、扉本体の上端に設けられたガイド部材等からなる扉装置において、ガイド部材は、ガイド溝に対し回動不能に案内され、扉本体に対して常に回動力が付与されるよう、蓄力機構を介して扉本体と回動自在に連結されているものである。
【０００６】
又、本発明が第２の手段として構成したところは、上記手段に加え、蓄力機構は、ガイド部材と連結されるセンター軸と、センター軸と回動自在で、扉本体と回動不能に連結される保持筒と、保持筒内に一端が係止された状態に収納されたスプリングと、スプリングの他端を係止する回動力調節部材よりなり、回動力調節部材はスプリングの回動力を強める方向にのみ回動可能にセンター軸と係止し、センター軸の外方より、回動力調節部材が回動可能とされているものである。
【０００７】
【実施例】
以下、本発明を添付図面に基づいて詳述する。
図１は、本発明の閉鎖状態での正面図を示し、符号１は戸口枠、符号２は戸口枠１に蝶番３０、３０を介して回動自在に取り付けられた扉支持枠を示し、符号３は、扉支持枠２に回動自在に枢着された扉本体を示している。
【０００８】
戸口枠１は、戸先側枠１１と、戸尻側枠１２と、両側枠１１、１２の上端間を連結する上枠１３より出入口１０を構成する門型に形成され、戸先側枠１１は室内側の出入口１０側内面に、戸当たり１１１を有する戸当たり部１１０が上下方向全幅に渡って形成されている。
そして、戸先側枠１１の出入口１０側所定位置にレバーハンドル４のラッチ受け部材４１が設けられている。
【０００９】
戸尻側枠１２は、室内側に上下方向全幅に渡って形成された扉支持枠用縦段部１２１を有し、扉支持枠用縦段部１２１の室内側の端部で、出入口１０側の所定位置に、扉支持枠２に設けられた蝶番３０、３０の一端が連結される。
上枠１３は、室内側に横方向全幅に渡って形成された扉支持用上段部１３１を有し、扉支持枠用上段部１３１の室外側の横方向全幅に渡って、ガイド溝形成部材１３０が、上枠１３の室外側下面に着脱自在に取付けられる事で、下方が開口するガイド溝１３２が形成される。
そして、ガイド溝形成部材１３０の室外側にエアーシリンダー２０が所定位置に取付けられる。
すなわち、扉本体３の閉鎖状態で、扉支持枠２は扉支持枠用縦段部１２１と扉支持用上段部１３１内に格納された状態となる。
【００１０】
扉支持枠２は、縦枠２１と上下枠２２、２３よりコ字型に形成され、縦枠２１の戸尻側で、室内側の端部を回動中心とする蝶番３０、３０の一端が戸尻側の所定位置に取り付けられる事により、蝶番３０、３０を介して、戸口枠１に回動自在に連結されている。
そして、縦枠２１の扉本体３側には、戸先側枠１１のラッチ受け部材４１にに対応する縦枠側ラッチ受け部材４０が設けられ、レバーハンドル４を操作すれば、扉本体３内に配設されたラッチ杆４２によって、扉本体３と、縦枠２１および戸先側枠１１の係止状態が同時に解除される。
【００１１】
上下支持枠２２、２３は、扉本体３の幅寸法の略３分の１程度の長さに形成されており、縦枠２１の反対側の端部で、扉本体３を回動自在に支持している。
すなわち、扉本体３の戸尻側端部から上支持枠２２にほぼ一致する寸法の上下端面に取り付けられた上下枢軸３１、３２と上下支持枠２２、２３を回動自在に連結し、特に、上支持枠２２と上枢軸３１は、連結ナット３１０によって扉本体３の高さ位置を調節自在としている。
【００１２】
扉本体３は、幅方向略中間部に蓄力機構６を設け、蓄力機構６の上端にガイド部材５を連結している。
ガイド部材５は、上端に開閉方向に所定間隔を有する２つのローラー５０、５０が、回転自在に取り付けられるローラー取付片５１、５１と、ローラー取付片５１、５１の端部から下方に突出する磁石取付片５２と、磁石取り付け片５２の下端から扉本体３側に突出する連結片５３より形成されている。
そして、ローラー５０、５０は、前記ガイド溝１３２の前後幅に一致する大きさに形成され、ガイド溝１３２内を摺動する事により、ガイド部材５は、ガイド溝１３２対し回動不能に案内される。
【００１３】
すなわち、エアーシリンダー２０と、磁石５２０と、ガイド部材５の関係は次のようになる。
まず、ガイド溝１３２内に位置するエアーシリンダー２０の縮小したピストンロッド２０１の先端に、磁石取り付け片５２に取付けられた磁石５２０が吸着した状態（扉本体３の閉鎖状態）から、扉本体３が開放されだすと、ガイド部材５と共に、磁石５２０はピストンロッドを引き出しながら戸尻側に移動し、ピストンロッド２０１が最も伸長した状態で磁石５２０の吸着が解除され、ピストンロッド２０１は最も伸長した状態で維持される。
【００１４】
そして、扉本体３が開放された状態から閉鎖されだすと、上記とは逆に、ガイド部材５と共に、磁石５２０は戸先側に移動し、やがて、磁石５２０が最も伸長した状態のピストンロッド２０１の先端に吸着し、次に、ピストンロッド２０１を縮小させながら（閉鎖スピードを減速しながら）閉鎖位置まで移動する。
【００１５】
蓄力機構６は、ガイド部材５の連結片５３と連結されるセンター軸６１と、センター軸６１を回動自在に保持し、扉本体３と回動不能に連結される上下保持筒６２、６２と、下保持筒６２内に一端が係止された状態で収納されたスプリング６３と、スプリング６３の他端を係止し、スプリング６３の回動力を調節すると共に、スプリング６３の回動力をセンター軸６１に伝達する回動力調節部材６４より構成されている。
【００１６】
そして、センター軸６１の中心部には、円形の操作用貫通孔６１１が形成され、回動部材６４の中心部には前記操作用貫通孔６１１に連続する円形の操作孔６４１と、操作孔６４１の下端に連続して四角形の回動操作孔６４２が形成され
、センター軸６１に対し（センター軸６１を固定した状態で）回動力調節部材６４はスプリング６３を巻き込む方向（反発回動力が強くなる方向）にのみ回動可能に、センター軸６１下面と回動力調節部材６４の上面は係合している。
【００１７】
すなわち、ガイド部材５とセンタ６１が連結された状態で、ガイド部材５に形成された操作用貫通孔６１１に臨む貫通孔５３１より、先端が回動操作孔６４１に一致する形状の操作杆を差し込んで、回動動操作孔６４２に一致させて、スプリング６３の反発回動力が強くなる方向に回動力調節部材６４を回動させる事により、強くなったスプリング６３の反発回動力はセンター軸６１に伝達されるので、センター軸６１の回動力の調節が行われる。
【００１８】
実施例では、センター軸６１はガイド部材５に連結され、ローラー５０、５０によって、ガイド部材５はガイド溝１３２対し回動不能に案内されており、センター軸６１は、上保持筒６２に回動自在に保持され、上下保持筒６２、６２は、扉本体３と回動不能に連結されているので、スプリング６３の反発回動力は上下保持筒６２、６２を扉本体３と共に、扉本体３を閉鎖する方向に回動させる。（図４で反時計周り）
蓄力機構６は上記の如く構成され、扉本体３に設けられているので、上下保持筒６２、６２は、扉本体３の閉鎖位置から開放位置まで、９０度の広範囲で回動する事となる。
【００１９】
尚、実施例では、蓄力機構６のスプリング６３は、自閉方向の回動力を扉本体３に付与する向きに、上下支持筒６２，６２内に配設されているが、その向きを逆にし、回動力調節部材６４とセンター軸６１の係止方向を逆にすれば、扉本体３を常に開放する方向に回動させることも可能である。
この場合、エアーシリンダー２０は、ピストンロッド２０１を戸尻側枠１２方向に向けてガイド部材５に取付けられ、磁石５２０はガイド溝１３２の所定位置に設けられる事となる。
そして、扉本体３の閉鎖状態で、レバーハンドル４を操作し、扉本体３と縦枠２１および戸先側枠１１の係止状態を解除すると、扉本体３は自動的に開放され、完全に開放される手前で、開放スピードが減速する事となる。
【００２０】
【発明の効果】
請求項１に記載の発明によれば、ガイド部材は、ガイド溝に対し回動不能に案内され、扉本体に対して常に閉鎖方向に回動力が付与されるよう、蓄力機構を介して扉本体と回動自在に連結されているので、扉本体の開放位置が、扉支持枠の回動位置に影響されることがなく、広範囲で扉本体の開放位置を選択する事が可能である。
さらに、扉本体の閉鎖位置から開放位置までの回動角度が大きく設定できるので、大きな範囲で自閉スピードの調節が可能となり、扉本体の自閉に際し滑らかな動きを得る事が可能となる。
【００２１】
請求項２に記載の発明によれば、上記効果に加え、センター軸の外方より、回動力調節部材を回動可能としたので、扉本体が扉支持枠に組み込まれ、ガイド部材がガイド溝内に摺動自在とした状態で、回動力調節部材の回動が可能となり、初期の閉鎖スピードの調節が容易である。
【図面の簡単な説明】
【図１】本発明の正面図
【図２】本発明の閉鎖状態の平面図
【図３】本発明の開放途中の平面図
【図４】本発明の開放状態の平面図
【図５】図２のＣ部拡大図
【図６】図２のＤ部拡大図
【図７】図２のＡ−Ａ線拡大断面図
【図８】図２のＢ−Ｂ線拡大断面図
【図９】ガイド部材と蓄力機構の連結状態を示す斜視図
【図１０】蓄力機構の縦断面図
【図１１】従来例を示す説明図
【符号の説明】
１　　　　戸口枠
１３　　　上枠
１３０　　ガイド溝
２　　　　扉支持枠
３　　　　扉本体
５　　　　ガイド部材
６　　　　蓄力機構
６１　　　センター軸
６２　　　保持筒
６３　　　スプリング
６４　　　回動力調節部材
【図１】
2004068291.tif 000003
【図２】
2004068291.tif 000004
【図３】
2004068291.tif 000005
【図４】
2004068291.tif 000006
【図５】
2004068291.tif 000007
【図６】
2004068291.tif 000008
【図７】
2004068291.tif 000009
【図８】
2004068291.tif 000010
【図９】
2004068291.tif 000011
【図１０】
2004068291.tif 000012
【図１１】
2004068291.tif 000013